(57)【要約】      （修正有）【課題】工事現場でのカメラ撮影に用いられる使いやすい柄付きボードを提供する。【解決手段】柄付きボード２は、表示プレート４と、表示プレートに取り付けられた柄とを備えている。表示プレート４は、ガラス又は樹脂からなり、好ましくは、ポリエチレンテレフタレート、ポリ塩化ビニル、アクリル樹脂及びポリカーボネードのいずれかよりなり、透明である。また、その表面に傷防止のためのコーティングがされている。柄付きボード２は、表示プレートを囲む枠をさらに備えている。この柄付きボードを用いれば、表示プレートが透明のため工事現場の撮影が容易である。【選択図】図１
0003185520.tif 000002
【実用新案登録請求の範囲】
【請求項１】
表示プレートと、この表示プレートに取り付けられた柄とを備えており、
この表示プレートが透明である柄付きボード。
【請求項２】
上記表示プレートを囲む枠をさらに備えた請求項１に記載の柄付きボード。
【請求項３】
上記表示プレートが、ガラス又は樹脂からなる請求項１又は２に記載の柄付きボード。
【請求項４】
上記表示プレートが、ポリエチレンテレフタレート、ポリ塩化ビニル、アクリル樹脂及びポリカーボネードのいずれかよりなる請求項１から３のいずれかに記載の柄付きボード。
【請求項５】
上記表示プレートがその表面に傷防止のためのコーティングがされた請求項１から４のいずれかに記載の柄付きボード。
【考案の詳細な説明】
【技術分野】
【０００１】
本考案は、工事現場等でのカメラ撮影に用いられる柄付きボードに関する。
【背景技術】
【０００２】
工事現場では、工事の状況の記録の目的で、カメラで写真が撮影される。このとき、工事現場を背景としつつ、黒板又はホワイトボードが撮影される。黒板又はホワイトボードには、工事名、場所、日付等が記載される。撮影には、黒板又はホワイトボードを保持する者と、カメラのシャッターを押す者との、２名の作業者が必要である。
【０００３】
実用新案登録第３１７３７３９号公報には、１名の作業者で工事現場の撮影がなされうるボードが開示されている。このボードは、伸縮可能な柄と、表示プレートと、三脚のカメラスクリューが螺入されうる三脚穴とを備えている。表示プレートには、工事名、場所、日付等が記載される。作業者は、所定長さに設定された柄を一方の手で把持し、他方の手でカメラのシャッターを押す。また、作業者は、この柄付きボードを三脚に取り付けて、シャッターを押すこともできる。
【先行技術文献】
【特許文献】
【０００４】
【特許文献１】実用新案登録第３１７３７３９号公報
【考案の概要】
【考案が解決しようとする課題】
【０００５】
作業者は、柄付きボードの使いやすさのさらなる向上を望んでいる。特にこれまでの柄付きボードは、表示画面が黒板又はホワイトボードで作成されていたため、柄付きボードとともに工事現場を撮影したとき、表示画面が邪魔になって工事現場が充分写らない場合があった。また、この黒色又は白色の表示画面に露出が合い、工事現場に露出が合わず、工事現場の画面が明るくなり過ぎたり暗くなり過ぎたりたりするという問題があった。本考案の目的は、撮影が容易で使いやすい柄付きボードの提供にある。
【課題を解決するための手段】
【０００６】
本考案に係る柄付きボードは、表示プレートと、この表示プレートに取り付けられた柄とを備えており、この表示プレートが透明である。
【０００７】
好ましくは、この柄付きボードは、上記表示プレートを囲む枠をさらに備えている。
【０００８】
好ましくは、上記表示プレートは、ガラス又は樹脂からなる。
【０００９】
好ましくは、上記表示プレートは、ポリエチレンテレフタレート、ポリ塩化ビニル、アクリル樹脂及びポリカーボネードのいずれかよりなる。
【００１０】
好ましくは、上記表示プレートはその表面に傷防止のためのコーティングがされている。
【考案の効果】
【００１１】
本考案に係る柄付きボードは、表示プレートが透明である。このため、作業者がこの表示プレートとともに工事現場を撮影するとき、この表示プレートを通して工事現場が撮影されるので、この表示プレートは工事現場撮影の邪魔にならない。この表示プレートは透明であるため、表示プレートの明るさは背景の明るさとほぼ同じである。カメラの露出が表示プレートに合っても、工事現場の画面が明るくなり過ぎたり暗くなり過ぎたりたりすることはない。この柄付きボードを用いれば、工事現場の撮影が容易である。この柄付きボードは、使い勝手に優れる。
【図面の簡単な説明】
【００１２】
【図１】図１は、本考案の一実施形態に係る柄付きボードが示された正面図である。
【図２】図２は、図１の柄付きボードの一部が示された側面図である。
【図３】図３は、図１の柄付きボードの一部が示された分解断面図である。
【図４】図４は、図１の柄付きボードの使用の様子が示された斜視図である。
【図５】図５は、本考案の他の実施形態に係る柄付きボードが示された正面図である。
【図６】図６は、図５の柄付きボードのボードが示された背面図である。
【考案を実施するための形態】
【００１３】
以下、適宜図面が参照されつつ、好ましい実施形態に基づいて本考案が詳細に説明される。
【００１４】
図１は、柄付きボード２の正面図である。図２は、図１の柄付きボード２の側面図である。図１において、矢印Ｘで示されているのは、柄付きボード２の上下方向である。矢印Ｙで示されているのは、柄付きボード２の左右方向である。この柄付きボード２は、表示プレート４、取付部材６、Ｔ字部材８及び柄１０を備えている。
【００１５】
表示プレート４は透明である。この表示プレート４の前面には、工事名、工事の場所、撮影の日付等が記載される。記載には、白色や黒色のマーカーが用いられる。
【００１６】  表示プレート４はガラス又は樹脂からなる。柄付きボード２を持ち運ぶときや撮影するときに、表示プレート４が壊れにくいという観点から、表示プレート４の好ましい材料は、ポリエチレンテレフタレート、ポリ塩化ビニル、アクリル樹脂及びポリカーボネードが例示される。表示プレートの材料の具体例としては、（公序良俗違反につき、不掲載）が挙げられる。樹脂でできた表示プレート４にマーカーで文字が記載された場合、表面に傷が付くことが起こりうる。より好ましくは、表示プレート４の表面には、マーカーにより傷が付かないように、コーティング加工が施される。
【００１７】
取付部材６は、板部１２と一対のブラケット１４とを備えている。この板部１２とブラケット１４とは一体的に成形されている。板部１２は、その左右端側に一対の取付孔を備えている。この取付孔は板部１２を貫通している。一対のブラケット１４は、これらの取付孔の間に位置している。それぞれのブラケット１４は、板部１２に対して垂直な方向に突出している。このブラケット１４は、孔３０（図３参照）を備えている。取付部材６の典型的な材質は、硬質合成樹脂である。
【００１８】
図１に示されるように、板部１２の取付孔にボルト１６が通されている。図には示されないが、表示プレート４の、この取付孔に対応する位置に、孔が設けられている。この孔は表示プレート４を貫通している。板部１２の取付孔に通されたボルト１６は、表示プレート４の孔にも通されている。図２に示されるとおり、このボルト１６の先端は、表示プレート４の背面にて、袋ナット１８に螺入されている。このボルト１６及び袋ナット１８により、取付部材６が表示プレート４に固着されている。
【００１９】
図３に示されるように、Ｔ字部材８は、筒部２０と枝部２２とを備えている。筒部２０と枝部２２とは、一体的に成形されている。筒部２０は、貫通孔２８を備えている。枝部２２は、筒部２０の中央から、この筒部２０の軸方向に対して垂直な方向に延びている。枝部２２は、その端から穿設された穴２４を備えている。枝部２２には、その表面からこの穴２４まで至る止め孔２６が設けられている。Ｔ字部材８の典型的な材質は、硬質合成樹脂である。
【００２０】
取付部材６の一方のブラケット１４の孔３０、Ｔ字部材８の貫通孔２８及び他方のブラケット１４の孔３０には、ボルト３２が通されている。このボルト３２の先端は、袋ナット３４に螺入されている。このボルト３２及び袋ナット３４により、取付部材６にＴ字部材８が取り付けられている。Ｔ字部材８は、ボルト３２を軸として、取付部材６に対して揺動しうる。
【００２１】
図１及び２に示されるように、柄１０は、第一節３６、第二節３８、第三節４０及び第四節４２からなる。第一節３６は第二節３８に入れ子式に挿入されており、第二節３８は第三節４０に入れ子式に挿入されており、第三節４０は第四節４２に入れ子式に挿入されている。この柄１０は、伸縮自在である。
【００２２】
図３に示されるとおり、柄１０の先端４４は、Ｔ字部材８の枝部２２の穴２４に差し込まれている。柄１０の先端４４には、枝部２２の止め孔２６に対応する位置に、孔が設けられている。枝部２２の止め孔２６と柄１０の先端４４の孔４６にボルト４８が通されている。このボルト４８により、柄１０の先端４４は枝部２２に固定されている。柄１０の先端４４は、Ｔ字部材８に接合されている。
【００２３】
典型的には、柄１０の材質は、スチール又はステンレススチールである。節の数が３以下でもよい。節の数が５以上でもよい。柄付きボード２が、伸縮不可能な柄を備えてもよい。
【００２４】
前述の通り、Ｔ字部材８は、表示プレート４に固着された取付部材６に対して揺動可能に取り付けられている。柄１０の先端４４は、Ｔ字部材８に接合されている。換言すれば、柄１０は、Ｔ字部材８及び取付部材６を介して、揺動可能に表示プレート４に取り付けられている。表示プレート４に対する柄１０の角度は、任意に設定されうる。
【００２５】
図４は、図１の柄付きボード２の使用状態が示された説明図である。この柄付きボード２が使用されるには、まず、作業者５０によって表示部に必要事項が記入される。作業者５０は、表示プレート４と柄１０との角度、及び柄１０の長さを調整する。作業者５０は、一方の手で柄１０の後端近傍を把持しつつ、他方の手でカメラ５２のシャッターボタンを押す。これにより、表示部に記載された文字と、工事現場の背景とが、同時に撮影されうる。
【００２６】
この柄付きボード２では、表示プレート４が透明である。必要な事項は、白色や黒色のマーカーを用いてこの表示プレート４の表面に記載される。この表示プレート４は透明であるため、表示プレート４を通して工事現場が撮影される。作業者５０がこの表示プレート４とともに工事現場を撮影するとき、この表示プレート４は撮影の邪魔にならない。この表示プレート４を用いると、工事現場がより広く撮影されうる。この表示プレート４は透明であるため、表示プレート４の明るさは背景の明るさとほぼ同じである。明るい色の表示プレート４に露出が合い、工事現場が暗くなり過ぎることはない。暗い色の表示プレート４に露出が合い、工事現場が明るくなり過ぎることはない。この柄付きボード２を用いれば、工事現場の撮影が容易である。この柄付きボード２は、使い勝手に優れる。
【００２７】
図５は、本考案の他の実施形態に係る柄付きボード６０の正面図である。図５において、矢印Ｘで示されているのは、柄付きボード６０の上下方向である。矢印Ｙで示されているのは、柄付きボード６０の左右方向である。図５に示された柄付きボード６０は、表示プレート６２、枠６４、取付部材６６、Ｔ字部材６８及び柄７０を備えている。
【００２８】
表示プレート６２は透明である。この表示プレート６２の前面には、工事名、工事の場所、撮影の日付等が記載される。記載には、白色や黒色のマーカーが用いられる。
【００２９】  表示プレート６２はガラス又は樹脂からなる。柄付きボード６０を持ち運ぶときや撮影するときに、表示プレート６２が壊れにくいという観点から、表示プレート６２の好ましい材料は、ポリエチレンテレフタレート、ポリ塩化ビニル、アクリル樹脂及びポリカーボネードが例示される。表示プレートの材料の具体例としては、（公序良俗違反につき、不掲載）が挙げられる。樹脂でできた表示プレート６２にマーカーで文字が記載された場合、表面に傷が付くことが起こりうる。より好ましくは、表示プレート６２の表面には、マーカーにより傷が付かないように、コーティング加工が施される。
【００３０】
枠６４は表示プレート６２を囲んでいる。枠６４は表示プレート６２を補強する。枠６４の典型的な材質は、木材又は硬質合成樹脂である。
【００３１】
図６は、図５の柄付きボード６０の背面図である。枠６４は、その背面の内側に凹部７２を有している。図６に示されるとおり、表示プレート６２は、この凹部７２に嵌め込まれている。凹部７２の上辺、下辺、左辺及び右辺には、それぞれ係止金具７４が設けられている。この係止金具７４は、凹部７２に嵌め込まれた表示プレート６２を抑えている。この係止金具７４と凹部７２により、表示プレート６２は枠６４に固定されている。
【００３２】
取付部材６６は、図１の柄付きボード２の取付部材６と同じ構造である。取付部材６６は、板部７６と一対のブラケット７８とを備えている。板部７６とブラケット７８とは一体的に成形されている。板部７６は、その左右端側に一対の取付孔を備えている。この取付孔は板部７６を貫通している。一対のブラケット７８は、これらの取付孔の間に位置している。それぞれのブラケット７８は、板部７６に対して垂直な方向に突出している。このブラケット７８は、孔を備えている。
【００３３】
図５に示されるように、板部７６の取付孔にボルト８０が通されている。図には示されないが、枠６４の、この取付孔に対応する位置に、孔が設けられている。この孔は枠６４を貫通している。板部７６の取付孔に通されたボルト８０は、枠６４の孔にも通されている。図６に示されるとおり、このボルト８０の先端は、枠６４の背面にて、ナット８２に螺入されている。このボルト８０及びナット８２により、取付部材６６が枠６４に固着されている。
【００３４】
Ｔ字部材６８は、図１の柄付きボード２のＴ字部材８と同じ構造である。Ｔ字部材６８は、揺動可能に取付部材６６に取り付けられている。
【００３５】
柄７０は、図１の柄付きボード２の柄１０と同じ構造である。柄７０の先端は、Ｔ字部材６８に接合されている。換言すれば、柄７０は、Ｔ字部材６８、取付部材６６及び枠６４を介して、揺動可能に表示プレート６２に取り付けられている。
【００３６】
この柄付きボード６０では、表示プレート６２の周りに枠６４が設けられている。この枠６４は表示プレート６２を補強する。この柄付きボード６０は、耐久性に優れる。また、表示プレート６２に傷が付いたときでも、表示プレート６２だけ枠６４から外して、取り替えることができる。この取り替えは容易である。
【００３７】
この柄付きボード６０では、表示プレート６２が透明であるため、表示プレート６２を通して工事現場が撮影される。表示部レートの周りに枠６４があるが、この枠６４は、幅が狭いため、撮影の邪魔にはならない。この表示プレート６２は撮影の邪魔にはならない。この表示プレート６２を用いると、工事現場がより広く撮影されうる。この表示プレート６２は透明であるため、表示プレート６２の明るさは背景の明るさとほぼ同じである。明るい色の表示プレート６２に露出が合い、工事現場が暗くなり過ぎることはない。暗い色の表示プレート６２に露出が合い、工事現場が明るくなり過ぎることはない。この柄付きボード６０を用いれば、工事現場の撮影が容易である。この柄付きボード６０は、使い勝手に優れる。
【産業上の利用可能性】
【００３８】
本考案に係る柄付きボードは、例えば建物検査のような、種々の場面における撮影に用いられうる。
【符号の説明】
【００３９】
２、６０・・・柄付きボード
４、６２・・・表示プレート
６、６６・・・取付部材
８、６８・・・Ｔ字部材
１０、７０・・・柄
１２、７６・・・板部
１４、７８・・・ブラケット
１６、３２、４８、８０・・・ボルト
１８、３４・・・袋ナット
２０・・・筒部
２２・・・枝部
２４・・・穴
２６・・・止め孔
２８・・・貫通孔
３０、４６・・・孔
３６・・・第一節
３８・・・第二節
４０・・・第三節
４２・・・第四節
４４・・・先端
５０・・・作業者
５２・・・カメラ
６４・・・枠
７２・・・凹部
７４・・・係止金具
８２・・・ナット
【図１】
0003185520.tif 000003
【図２】
0003185520.tif 000004
【図３】
0003185520.tif 000005
【図４】
0003185520.tif 000006
【図５】
0003185520.tif 000007
【図６】
0003185520.tif 000008
【手続補正書】
【提出日】平成25年6月21日(2013.6.21)
【手続補正１】
【補正対象書類名】明細書
【補正対象項目名】００１６
【補正方法】変更
【補正の内容】
【００１６】
表示プレート４はガラス又は樹脂からなる。柄付きボード２を持ち運ぶときや撮影するときに、表示プレート４が壊れにくいという観点から、表示プレート４の好ましい材料は、ポリエチレンテレフタレート、ポリ塩化ビニル、アクリル樹脂及びポリカーボネードが例示される。樹脂でできた表示プレート４にマーカーで文字が記載された場合、表面に傷が付くことが起こりうる。より好ましくは、表示プレート４の表面には、マーカーにより傷が付かないように、コーティング加工が施される。
【手続補正２】
【補正対象書類名】明細書
【補正対象項目名】００２９
【補正方法】変更
【補正の内容】
【００２９】
表示プレート６２はガラス又は樹脂からなる。柄付きボード６０を持ち運ぶときや撮影するときに、表示プレート６２が壊れにくいという観点から、表示プレート６２の好ましい材料は、ポリエチレンテレフタレート、ポリ塩化ビニル、アクリル樹脂及びポリカーボネードが例示される。樹脂でできた表示プレート６２にマーカーで文字が記載された場合、表面に傷が付くことが起こりうる。より好ましくは、表示プレート６２の表面には、マーカーにより傷が付かないように、コーティング加工が施される。